(57)【要約】【課題】  臀部の洗浄操作を簡便にするとともに、少ない力で高い洗浄効果が得られ、且つ、容易に携帯できる携帯用臀部洗浄具を提供すること。【解決手段】  本発明の携帯用臀部洗浄具は、ペットボトルの開口部に着脱自在に装着される、ペットボトル内の液体を汲み上げる操作部と、操作部に具備された可動管と、可動管の先端に装着された液体放出部とを備えることを特徴とする。  また操作部に減圧弁を、可動管に給水ポンプを装着してもよい。【選択図】図１
2013123636.tif 000002
【特許請求の範囲】
【請求項１】
ペットボトルの開口部に着脱自在に装着される、ペットボトル内の液体を汲み上げる操作部と、操作部に具備された可動管と、可動管の先端に装着された液体放出部とを備えることを特徴とする携帯用臀部洗浄具。
【請求項２】
前記操作部に減圧弁を装着した請求項１記載の携帯用臀部洗浄具。
【請求項３】
前記可動管に給水ポンプを装着した請求項１記載の携帯用臀部洗浄具。
【請求項４】
前記ペットボトルに、ペットボトルを身体へ吊り下げる掛け具を装着した請求項１乃至３のうちいずれか１項に２記載の携帯用臀部洗浄具。
【請求項５】
前記液体放出部に、可動管より送水された液体を遮断、または通水させる開閉弁を装着した請求項１乃至４のうちいずれか１項に２記載の携帯用臀部洗浄具。
【請求項６】
前記液体放出部は屈曲自在に形成されている請求項１乃至５のうちいずれか１項に記載の携帯用臀部洗浄具。
【請求項７】
前記液体放出部に屈曲部を形成した請求項１乃至５のうちいずれか１項に記載の携帯用臀部洗浄具。
【発明の詳細な説明】
【技術分野】
【０００１】  本発明は、操作が簡便で高い洗浄効果が得られ、且つ、容易に携帯できる携帯用臀部洗浄具に関する。
【背景技術】
【０００２】  近日、洋式のトイレにおいては、臀部を水で洗浄する洗浄装置が装着されている。かかる洗浄装置は、スイッチを入力することで電動式にノズルが移行し、そのノズルから水を噴射させ臀部を洗浄する構造からなる。【０００３】  しかしながら屋外で排便する際、公衆トイレや仮説トイレには洗浄装置が具備されていない場合が多く、臀部を洗浄することはできなかった。またキャンプ等の屋外生活時においても臀部を洗浄することができず、排便後の爽快感を得ることができなかった。
【先行技術文献】
【特許文献】
【０００４】  それらの問題を解消するために、旅先や外国でも、飲み終わったペットボトルがあれば簡単におしり洗浄器とすることができ、世界中で使用されているペットボトルを利用でき、費用も掛からず、手軽に携帯用手動おしり洗浄器となすことができ、その装着体は手動であるので乾電池も不要で電池切れもないペットボトルのネック部に装着して携帯用手動おしり洗浄器として使用できる携帯用手動おしり洗浄器の装着体がある。（例えば、特許文献１参照）。
上掲特許文献１の携帯用手動おしり洗浄器の装着体は、ペットボトルのネック部の螺子部に螺合可能な螺子部を有するキャップ部と、先端部に洗浄を有する洗浄液用流路部と、空気取入口と、空気弁とを備えてなり、前記キャップ部に穴を開けて前記洗浄液用流路部を装着し、前記キャップ部の当該洗浄液用流路部に隣接して個々に別々に前記空気取入口及び空気弁を設けてなることを特徴とする。
【特許文献１】実用新案登録第３１３７３０７号公報
【発明の開示】
【発明が解決しようとする課題】
【０００５】  しかしながら、上掲特許文献１の携帯用手動おしり洗浄器の装着体は、ペットボトルを直接押圧して液体を吐出させなければならず、力の弱い子供や高齢者には使いづらいという問題がある。また洗浄液用流路部の長さが短くペットボトルに固定されているため、洗浄操作が困難になるとともに、衛生面でも問題が生じた。【０００６】  そこで本発明は、上記した従来技術の問題点を解消し、臀部の洗浄操作を簡便にするとともに、少ない力で高い洗浄効果が得られ、且つ、容易に携帯できる携帯用臀部洗浄具を提供することにある。
【課題を解決するための手段】
【０００７】  上記課題を解決するために、本発明の携帯用臀部洗浄具は、ペットボトルの開口部に着脱自在に装着される、ペットボトル内の液体を汲み上げる操作部と、操作部に具備された可動管と、可動管の先端に装着された液体放出部とを備えることを特徴とする。【０００８】  また、前記操作部に減圧弁を装着した。【０００９】  また、前記可動管に給水ポンプを装着した。【００１０】  また前記ペットボトルに、ペットボトルを身体へ吊り下げる掛け具を装着した。【００１１】  また前記液体放出部に、可動管より送水された液体を遮断、または通水させる開閉弁を装着した。【００１２】  また、前記液体放出部は屈曲自在に形成されている。【００１３】  さらに、前記液体放出部に屈曲部を形成した。
【発明の効果】
【００１４】  ペットボトルの開口部に着脱自在に装着される、ペットボトル内の液体を汲み上げる操作部と、操作部に具備された可動管と、可動管の先端に装着された液体放出部とを備えることにより、操作部を繰り返し操作することで、少ない力でペットボトル内の液体を放出させることができる。また、操作部と液体放出部との間に可動管を設けたことで、臀部の洗浄を正確に行うことができる。【００１５】  また、前記操作部に減圧弁を装着したことで、使用後の水切りも好適に行うことができる。【００１６】  また、前記可動管に給水ポンプを装着したことで、より容易に、且つ、ワンタッチでペットボトル内の液体を放出させることができる。【００１７】  またペットボトルに、ペットボトルを身体へ吊り下げる掛け具を装着したことで、常にペットボトルを保持する必要がなくなり、操作性の利便性が向上する。【００１８】  さらに液体放出部に、可動管より送水された液体を遮断、または通水させる開閉弁を装着したことにより、放出する液体の水圧を自在に調整することができる。
【図面の簡単な説明】
【００１９】
【図１】本発明の携帯用臀部洗浄具の全体図である。
【図２】本発明の携帯用臀部洗浄具に吸水ポンプを設置した状態の全体図である。
【図３】携帯用臀部洗浄具に吸水ポンプを設置した他の好適例の全体図である。
【図４】携帯用臀部洗浄具に掛け具を装着した状態の全体図である。
【図５】液体放出部の詳細を示す全体図である。
【図６】他の好適例、液体放出部の詳細を示す全体図である。
【図７】他の好適例、液体放出部の詳細を示す全体図である。
【図８】他の好適例、液体放出部の詳細を示す全体図である。
【図９】他の好適例、液体放出部の詳細を示す全体図である。
【図１０】他の好適例、液体放出部の詳細を示す全体図である。
【発明を実施するための最良の手段】
【００２０】  以下、本発明における携帯用臀部洗浄具の実施の形態を図面に基づいて説明する。
本発明の携帯用臀部洗浄具は、臀部の洗浄操作を簡便にするとともに、少ない力で高い洗浄効果が得られ、且つ、容易に携帯できることを特徴とする。
【００２１】  図示する携帯用臀部洗浄具１は、ペットボトル４０の開口部４１に着脱自在に装着される、ペットボトル４０内の液体４２を汲み上げる操作部１０と、操作部１０に具備された可動管２０と、可動管２０の先端に装着された液体放出部３０とを備えることを特徴とする。
【００２２】  ペットボトル４０は、清涼飲料水や天然水等を収容した市販されているもので、３５０ｍｌ〜２ｌの様々なサイズのペットボトルを使用することができる。特に、本発明に使用されるものは、天然水等を収容した３５０ｍｌ〜５００ｍｌのペットボトルが好適に使用される。
【００２３】  操作部１０は、ペットボトル４０の開口部４１に螺合により着脱自在に装着される連結部１１と、連結部１１の上部に備えられた本体部１２と、本体部１２の前方下部に設置されたハンドル部１３と、ハンドル部１３の操作により摺動する摺動部１４と、本体部１２の前方に設置されたノズル１５とからなる。また本体部１２の下方には、ペットボトル４０内に配置される吸水管１６が連結されている。
【００２４】  可動管２０は柔軟性を有するチューブ等からなり、基端部２１がノズル１５に装着されており、先端２２が液体放出部３０に連結されている。また前記可動管２０の先端部分は、図５に示すように、連結部２３を介して液体排出部３０にネジ込み又はワンタッチ式に着脱自在に連結することができる。そのため、様々な構造の液体放出部３０を可動管２０に連結することが可能となる。
【００２５】  液体放出部３０は中空状の筒状を呈しており、図５に示すように、先端には小孔３１が単一、もしくは図６に示すように、複数穿孔されている。前記小孔３１からは、可動管２０より送水された液体が噴水状に放水され、臀部もしくは陰部を洗浄することができる。
【００２６】  また他の好適例として、前記操作部１０の減圧弁１７を装着した。該減圧弁１７は操作部１０の本体部１２に具備されている。前記減圧弁１７はペットボトル４０内の気圧を減圧させるもので、減圧弁１７を調節することで、臀部を洗浄した後、液体方出部３０から液体が滴ることを防ぐことができる。
【００２７】  また他の好適例として、前記可動管２０に給水ポンプ５０を装着することもできる。前記給水ポンプ５０は、図２に示すように、ペットボトル４０の開口部４１に連結されている。また図３に示すように、可動チューブ５１を介してペットボトル４０の開口部４１に連結してもよい。前記可動管２０に給水ポンプ５０を装着したことで、より容易に、且つ、ワンタッチでペットボトル４０内の液体４２を放出させることができる。なお、前記可動チューブ５１と吸水管１６とを一体化させ、可動チューブ５１の基端をペットボトル４０の液体４２内に配置させてもよい。
【００２８】  また他の好適例として、図４に示すように、前記ペットボトル４０に、ペットボトル４０を身体へ吊り下げる掛け具６０を装着した。前記掛け具６０は略Ｌ字状を呈しており、使用の際、例えばズボンのベルトに掛けたりポケットに装着することで、ペットボトル４０内の液体４２を楽な姿勢で放水させることができる。
【００２９】  また他の好適例として、図７に示すように、前記液体放出部３０に開閉弁３２を装着した。開閉弁３１、可動管２０より送水された液体４２を遮断、または通水させるものであり、例えば、開閉弁３２を閉状態とし、可動管２０内の水圧を高めた状態で開閉弁３２を開状態とすると、液体放出部３０からの放水力を高めることができる。
【００３０】  また他の好適例として、前記液体放出部３０を屈曲自在に形成することができる。その一例として、図８においては、液体放出部３０が柔軟性のゴム材等にて形成されている。また図９においては、液体放出部３０がフレキシブル構造にて形成されている。前記液体放出部３０を屈曲自在に形成することにより、臀部洗浄の際、洗浄位置を微妙に調整することができる。
【００３１】  また他の好適例として、図１０に示すように、前記液体放出部３０に屈曲部３３を形成した。屈曲部３３は前記液体放出部３０の略中央部分に傾斜状に形成されている。前記屈曲部３３を設けることで、洗浄の際の利便性を向上させることができる。
【００３２】  上述の構成により、本発明の携帯用臀部洗浄具は、ペットボトルの開口部に着脱自在に装着される、ペットボトル内の液体を汲み上げる操作部と、操作部に具備された可動管と、可動管の先端に装着された液体放出部とを備えることで、操作部を繰り返し操作することで、少ない力でペットボトル内の液体を放出させることができる。そのことにより、屋外で排便する際、またキャンプ等の屋外生活時においても臀部を洗浄することができ、排便後の爽快感を得ることが実現できる。
【符号の説明】
【００３３】１    携帯用臀部洗浄具
１０  操作部
１１  連結部
１２  本体部
１３  ハンドル部
１４  摺動部
１５  ノズル
１６  吸水管
１７  減圧弁
２０  可動管
２１  基端
２２  先端
２３  連結具
３０  液体放出部
３１  小孔
３２  開閉弁
３３  屈曲部
４０  ペットボトル
４１  開口部
４２  液体
５０  給水ポンプ
５１  可動チューブ
６０  掛け具
【図１】
2013123636.tif 000003
【図２】
2013123636.tif 000004
【図３】
2013123636.tif 000005
【図４】
2013123636.tif 000006
【図５】
2013123636.tif 000007
【図６】
2013123636.tif 000008
【図７】
2013123636.tif 000009
【図８】
2013123636.tif 000010
【図９】
2013123636.tif 000011
【図１０】
2013123636.tif 000012